【事件の表示】
　特願２００５−１４５５９３「パチンコ遊技機」拒絶査定不服審判事件〔平成１８年１１月３０日出願公開、特開２００６−３２０４８７〕について、次のとおり審決する。
【結　論】
　本件審判の請求は、成り立たない。
【理　由】
　
　第一、手続きの経緯　
　本願は、平成１７年５月１８日の出願であって、平成２０年９月２５日付けで拒絶理由が通知され、これに対し、同年１１月１９日付けで手続補正がなされ、同年１２月１０日付けで最後の拒絶理由が通知され、これに対し、平成２１年２月１２日付けで手続補正がなされ、同年３月３日付けで、上記平成２１年２月１２日付けの手続補正の却下の決定及び拒絶査定がなされ、これに対し、同年４月９日付けで審判請求がなされるとともに、同年５月１日付けで手続補正がなされ、その後、当審において、平成２２年７月１日付けで拒絶理由が通知され、これに対し、同年８月１７日付けで意見書が提出されたものである。
　　　　
第二、本願発明について
　本願の請求項１に係る発明は、上記平成２１年５月１日付けで提出された手続補正書の記載からみて、その特許請求の範囲の請求項１に記載された次のとおりのものである。
　【請求項１】　遊技盤のほぼ中央に配置された役物装置の上方に前方に張り出し形成された誘導通路を備えたパチンコ遊技機であって、
　前記誘導通路は、移動する遊技球を支持する底面と、
　該底面の前端縁から立設した前壁と、を備え、
　前記前壁の内面に遊技球の上下方向の振動を抑制するガイド溝を形成し、
　前記底面を奥側から手前側へ下向きに傾斜する傾斜面とし、
　前記ガイド溝の断面形状は、前記遊技球が前記誘導通路上を移動する際に、前記遊技球の外形状に一致する円弧状に形成されていることを特徴とするパチンコ遊技機。（以下、「本願発明」という。）。
　　　　
第三、刊行物に記載された発明　
　刊行物１；特開２００２−２３９１０４号公報
　刊行物２；実願昭５９−３９４０８号（実開昭６０−１５３１８４号）の
　　　　　　マイクロフィルム
　刊行物３；特開２００４−３１３５２１号公報 
　刊行物４；特開２００３−２３６１１０号公報
　刊行物５；実公平６−４２７１１号公報 
　刊行物６；特開平８−１８７３３１号公報 
　刊行物７；特開２００１−１６１９３２号公報
　　　（以下、各々を「引用刊行物１」乃至「引用刊行物７」という。）
　　　　　
　当審の拒絶理由に引用され、本願出願前に頒布された、引用刊行物１には、次の事項が記載されている。　
　（１ａ）「【特許請求の範囲】
【請求項１】  遊技盤の前面側に取り付けるための取付板を設け、パチンコ球が転動する通路部を該取付板に沿うように形成したパチンコ機における役物において、パチンコ球が該通路部を転動するときに接触する前記取付板の接触部に、パチンコ球の進行方向とほぼ垂直状とした窪み又は突起部を形成し、その窪み又は突起部によりパチンコ球の移動速度を抑制するように設けたことを特徴とするパチンコ機における役物。」、
　（１ｂ）「【００１０】
【発明の実施の形態】以下に、本発明の実施の形態例を図面に基づいて説明する。図１は役物の飾り枠部材の正面図、図２は図１のＡ−Ａ線断面図、図３は図２のＢ−Ｂ線断面図である。
【００１１】図１に示す合成樹脂製の飾り枠部材１は、図柄や数字・記号等の遊技情報を表示する役物たる表示装置の液晶表示部を囲むように設けられるものである。その飾り枠部材１には、遊技盤の前面側に取り付けるための複数の取り付け穴３を備えた取付板２の中央に横長形の窓孔４が形成されている。
【００１２】１０は窓孔４の上方に配置された通路部であり、正面から見て緩やかな円弧形で、かつ庇状に形成されている。この通路部１０は、図２に示すように、上記取付板２に沿うように形成されており、内縁側１０ａを外縁側１０ｂよりも幾分低くして転動するパチンコ球を取付板２に可及的に接触させるように設けられている。図１〜図３に示すように、パチンコ球ａが通路部１０を転動するときに接触する取付板２の接触部２ａには、パチンコ球ａの進行方向とほぼ垂直状とした多数の浅い溝５を一定間隔をおいて形成する。」、
　（１ｃ）「【００１４】しかして、パチンコ球ａが飾り枠部材１の通路部１０を転動するときに溝５に、若しくは左右領域の通路部１１、１２から飛び出すときに溝６に接触するようになし、その移動速度を適度に抑制するように設けた役物が構成される。
【００１５】以上に述べた通り、このパチンコ機における役物は、取付板に沿うように形成された通路部を転動するパチンコ球の移動速度を適度に抑制することができ、パチンコ球の動きが安定する。このため、従来の役物にみられるパチンコ球の落下速度が必要以上に抑えられたり、通路部にパチンコ球が停止する等の不具合が解消される。」。
　
　したがって、引用刊行物１には
　「　遊技盤の前面側に取り付けるための取付板２を設け、パチンコ球ａが転動する通路部１０を該取付板２に沿うように形成し、図柄や数字・記号等の遊技情報を表示する表示装置の液晶表示部を囲むように設けられる、パチンコ機における飾り枠部材１において、
　前記通路部１０は、前記取付板２の中央に形成されている窓孔４の上方に配置され、正面から見て緩やかな円弧形で、かつ庇状に形成され、内縁側１０ａを外縁側１０ｂよりも幾分低くして転動するパチンコ球ａを前記取付板２に可及的に接触させるように設けられ、
　パチンコ球ａが飾り枠部材１の通路部１０を転動するときに接触する取付板２の接触部２ａに、パチンコ球の進行方向とほぼ垂直状とした多数の浅い溝５を一定間隔をおいて形成し、その溝５によりパチンコ球の移動速度を適度に抑制することができ、パチンコ球の動きが安定するように設けた、パチンコ機における飾り枠部材１。」の発明（以下、「引用発明１」という。）が記載されていると認められる。
　　
　当審の拒絶理由に引用され、本願出願前に頒布された引用刊行物２において、
　（２ａ）明細書第５頁第９行乃至第１０行には「次に、第４図及び第６図において、可変表示装置３に関する構成について述べる。」と、
　（２ｂ）同第６頁第３行乃至第７頁第３行には「鎧部３１は、遊技盤上方より流下する打球の衝撃を軽減し、打球をスムースに左右どちらかに振り分けるため、アーチ状に形成されている。また鎧部３１の前面には、鎧部外周面に落下した打球が前面ガラス２２（第４図）に衝突するのを防ぐため、鎧部３１に沿って同様にアーチ状に形成された前飾板３４が、鎧部３１と一体に、鎧部３１に対しほぼ横Ｔ字状断面となるように、設けてある。鎧部３１に当った打球の前面ガラス２２方向への跳ね返えり防止は、前飾板３４の鎧部外周面より外側（上方）に張出した部分によってなされる。
  更に、鎧部３１に当った打球を一列に整流してスムースに左右どちらかに流下させるため、鎧部３１の外周面には、アーチ状の頂部から両側部にかけてそれぞれ球案内溝３５、３６が設けてある。この球案内溝３５、３６は、鎧部３１に当った打球の前面ガラス２２への跳ね返りを少なくするため、比較的浅い湾曲断面として形成されており、従って、鎧部３１の構造を強固にする役目もなしている。」と、それぞれ記載されている。
　　
　当審の拒絶理由に引用され、本願出願前に頒布された引用刊行物３には次の事項が記載されている。
　（３ａ）「【００１１】
この遊技領域４ａのほぼ中央には、センター役物（構造物）２０が設けられている。このセンター役物２０には開口２１，２２が形成される。開口２１の後方には、図柄の変動表示及び停止表示を実行可能な図柄表示装置２３、開口２２の後方には、演出用のドラム２４がそれぞれ設けられている。図３に示すように、センター役物２０の周面２０ａ（図４参照）には、流下するパチンコ球５０をその周面２０ａに沿って流下させるための弓形板状の案内片２５，２６が設けられ、これら案内片２５，２６の間の空間が、パチンコ球５０をセンター役物２０の周面２０ａに沿って流下させるための通路２７となる。・・・」。
　（３ｂ）また、【図３】には「案内片２６よりも遊技者側に設けられた、案内片２５」が示されている。
　　　
　当審の拒絶理由に引用され、本願出願前に頒布された引用刊行物４には次の事項が記載されている。
　（４ａ）「【００４６】＜球案内路＞突出部１８の左右側方に位置する取付基板１５の表面には、枠部１６上を転動する遊技球Ｐが接触する位置に、遊技球Ｐの転動方向に沿って第１の球案内路３０が設けられている。・・・」、
　（４ｂ）「【００４７】これらの球案内路３０、３１は、図４（ａ）に示すような溝状、あるいは図４（ｂ）に示すような一対のリブ状となっている。なお、図４では、取付基板１５の表面に設けた第１の球案内路３０を示しているが、・・・」、
　（４ｃ）「【００４８】遊技球Ｐは、図４（ａ）に示すように、枠部１６上を転動する際、取付基板１５の表面に形成された第１の球案内路３０に接触するようになっている。そして、遊技球Ｐが枠部１６の両側から遊技部３の下方に流下するようになっている。」。
　　　　　　　　　　　
　本願出願前に頒布された引用刊行物５において、
　（５ａ）公報第２頁第４欄第２２行乃至第２６行には「又、球蓄積凹部５及び通路６には第６図及び第７図に示すようにその上壁縁には溝１０及び上皿３の内方を指向する突条１１が延設され、同溝１０及び突条１１により球蓄積凹部５及び通路６内のパチンコ球Ｂの飛出しを防止するようになっている。」と、
　（５ｂ）公報第３頁第５欄第３行乃至第６行には「上皿３の球蓄積凹部５に蓄積されたパチンコ球Ｂが傾斜面により通路６に向って転動し前記曲面６ａ部分で一列に整列されて通路６に至り、弾発球導入口１２に向って通路６内を案内される。」と、
　（５ｃ）公報第３頁第６欄第６行乃至第８行には「さらに、球蓄積凹部５と通路６に形成した溝１０及び突条１１によりそのパチンコ球Ｂの飛出しを防止することができる。」と、それぞれ記載されている。
　（５ｄ）通路における上皿の一部断面図である第７図には「パチンコ球Ｂが溝１０及び突条１１に当接」する様子が示されている。
　
　したがって、引用刊行物５には「通路６の上壁縁に溝１０及び突条１１が延設され、通路６内を案内されるパチンコ球Ｂが当接することにより、そのパチンコ球Ｂの通路６からの飛出しを防止することができる、溝１０及び突条１１」の技術事項が記載されていると認められる。
　
　当審の拒絶理由に引用され、本願出願前に頒布された引用刊行物６には次の事項が記載されている。
　（６ａ）「【００１８】ベースフレーム７の下壁部７ｂの上面には両球通し口１４の前側から下壁部７ｂの上面の左右方向中央部にわたってそれぞれ内方へ先下り状で凹円弧状に傾斜しかつ内端部付近が若干前下り状に傾斜した左右１対の誘導路面１６が遊技盤面に沿って形成され、この両誘導路面１６の境界部には溝幅が前方へ漸増した状態で平面形状がほぼＶ形状に形成され、誘導路面１６の内端へ転動したパチンコ球を前方へ誘導する誘導溝１７が凹設されている。」、
　（６ｂ）「【００２２】図柄表示装置２の球誘導機構は両球受口９と、球落し口２２とをそれぞれ連通する左右１対の球誘導通路２３を備え、この両球誘導通路２３は第２樋部１１内に形成された上誘導路２６と、誘導樋１５内に形成された後誘導路２７と、誘導路面１６上で前後路壁面２１，１９間に形成された下誘導路２８とが一連状に接続された状態でそれぞれ形成され、球受口９に落入したパチンコ球は何れか一方の球誘導通路２３を通って球落し口２２から転落する。」。
　　　　
　当審の拒絶理由に引用され、本願出願前に頒布された引用刊行物７には次の事項が記載されている。　
　（７ａ）「【００５９】この連続的に立ち上がる形状とは、例えば、遊技盤１０の盤面から突出したセンター役物２８の装飾突出部２８ｍの外縁部分を構成する外縁側面が、基端側端縁２８ａからその上端縁２８ｂにいたるまで平坦に形成される形態を少なくとも含んでいる。この場合、図１０（ａ）に示すようにセンター役物２８の装飾突出部２８ｍは遊技盤１０の盤面から略垂直方向に突出して形成されたり、図１０（ｂ）に示すように垂直方向に対してやや上向き方向へ傾斜突出して形成されたり、逆に図１０（ｃ）に示すように垂直方向に対してやや下向き方向へ傾斜突出して形成される形態も当然に含んでいる。すなわち、垂直方向に対してやや上向き方向へ突出される装飾突出部２８ｍにおいては、その外縁側面上にいたった遊技球Ｂは遊技盤１０面側、つまり装飾突出部２８ｍの基端側端縁２８ａに寄せられることになり、逆に垂直方向に対してやや下向き方向へ傾斜突出される外縁側面においては、この装飾突出部２８ｍの外縁側面上にいたった遊技球Ｂはガラス面側、つまり外縁側面の上端縁２８ｂに寄せられることになる。」、
　（７ｂ）「【００６１】・・・すなわち、センター役物２８の装飾突出部２８ｍの上縁部の略中央部分から外縁側面に沿ってその左右両側へ向けてなだらかな下向きの勾配とすることにより、この外縁側面に沿って遊技球Ｂを流下容易に導く遊技球誘導経路２８ｋが形成されることになる。したがって、遊技盤１０面上に配置されたランプ風車２４、２５に当たってその風車を回転させることによって向きが変化されてセンター役物２８の装飾突出部２８ｍの上部の外縁側面に落下した遊技球Ｂや、障害釘２３に弾かれてセンター役物２８の装飾突出部２８ｍの上部の外縁側面に落下した遊技球Ｂは、遊技球誘導経路２８ｋに沿って遊技盤１０面上でスムーズに落下させることができる。」。
　　　　
第四、対比・検討
　本願発明と引用発明１とを比較する。
　（四−１）引用発明１の「遊技盤」は本願発明の「遊技盤」に相当し、以下同様に、「飾り枠部材１」は「役物装置」に、「パチンコ機」は「パチンコ遊技機」に、「パチンコ球ａ」は「遊技球」に、「通路部１０」は「パチンコ球ａが転動する」ものであるから「移動する遊技球を支持する底面」に、それぞれ相当する。
　（四−２）引用発明１では、「パチンコ球ａ」は、取付板２に沿うように形成された通路部１０を転動し、通路部１０を転動するときに取付板２の接触部２ａに接触するものであり、また「パチンコ球ａが転動する通路部１０」は、取付板２の中央に形成されている窓孔４の上方に配置され、庇状に形成され、内縁側１０ａを外縁側１０ｂよりも幾分低くして転動するパチンコ球を取付板２に可及的に接触させるように設けられているものであるから、引用発明１は本願発明の「役物装置の上方に前方に張り出し形成された誘導通路を備え」、「誘導通路は、移動する遊技球を支持する底面を備え」、「底面を下向きに傾斜する傾斜面とし」に相当する事項を備えているといえる。
　（四−３）引用発明１の「飾り枠部材１」は、「遊技盤の前面側に取り付けるための取付板２を設け」、「図柄や数字・記号等の遊技情報を表示する表示装置の液晶表示部を囲むように設けられる」ものであるから、パチンコ遊技機の技術常識を考慮すれば、引用発明１は、本願発明の「遊技盤のほぼ中央に配置された役物装置」に相当する事項を備えているといえる。
　　　
　そうすると、両者は、　
「　遊技盤のほぼ中央に配置された役物装置の上方に前方に張り出し形成された誘導通路を備えたパチンコ遊技機であって、
　前記誘導通路は、移動する遊技球を支持する底面を備え、
　前記底面を下向きに傾斜する傾斜面とした、パチンコ遊技機。」である点で一致し、次の点で相違する。
　
　相違点１
　本願発明では、誘導通路は、底面の前端縁から立設した前壁を備え、当該前壁の内面に遊技球の上下方向の振動を抑制するガイド溝を形成し、当該ガイド溝の断面形状は、遊技球が前記誘導通路上を移動する際に、前記遊技球の外形状に一致する円弧状に形成されているのに対し、引用発明１では、誘導通路は、底面を備えているものの、前壁及びガイド溝を備えていない点　　
　相違点２
　誘導通路の底面を、本願発明では奥側から手前側へ下向きに傾斜する傾斜面としたのに対し、引用発明１では「内縁側１０ａを外縁側１０ｂよりも幾分低く」した、即ち手前側から奥側へ下向きに傾斜する傾斜面とした点　
　　　　
　上記相違点について検討する。
　（四−４）本願発明について記載した、明細書の段落【００１４】における、「誘導通路の底面に傾斜を設けることにより、円弧状のガイド溝内に遊技球が嵌合し、遊技球の振動をより抑制することができるようになる」旨の記載からみて、相違点１及び相違点２は密接に関連していると認められるので、まとめて検討する。　
　
　底面の前端縁から立設した前壁は、例えば引用刊行物２に示された「鎧部３１の前面に、鎧部３１に対しほぼ横Ｔ字状断面となるように設けてある、前飾板３４」、及び引用刊行物３に示された「センター役物２０の周面２０ａの遊技者側に設けられた、案内片２５」のようにパチンコ遊技機の役物装置において周知・慣用の技術（以下、「周知・慣用の技術１」という）であり、また、壁部に、遊技球が移動する際に、当該遊技球の外周面が当接する溝部を形成するものは、例えば引用刊行物４に示された「取付基板１５の表面に形成された、溝状の球案内路３０」、及び引用刊行物５に示された「通路６の上壁縁に設けられた溝１０」のようにパチンコ遊技機の分野において周知・慣用の技術（以下、「周知・慣用の技術２」という）であり、さらに、奥側から手前側へ下向きに傾斜する傾斜面とした誘導通路の底面は、例えば引用刊行物６に示された「下誘導路２８の、若干前下り状に傾斜した左右１対の誘導路面１６」、及び引用刊行物７に示された「遊技球誘導経路２８ｋを形成する、垂直方向に対してやや下向き方向へ傾斜突出して形成される装飾突出部２８ｍ」のようにパチンコ遊技機の役物装置において周知・慣用の技術（以下、「周知・慣用の技術３」という）である。そして、前後両方に壁部が有り、遊技球の外周面が当接する溝部を壁部に形成する場合において、溝部を前後のどちらの側の壁部に形成するか、及び当該溝部の断面形状をどのようなものとするかは、遊技球の転動形態や溝部の機能などを考慮して、当業者が適宜なし得る設計上の事項であり、誘導通路の傾斜底面においては遊技球が下向きに誘導されることは技術常識であること、及び本願発明について記載した明細書全体を見ても「後側の壁ではなく、前壁の内面にガイド溝を形成」したことについて技術的意義が記載されていないことを併せて考慮すれば、「パチンコ球ａが通路部１０を転動するときに接触する取付板２の接触部２ａに、多数の浅い溝５を形成」した引用発明１の「役物装置」に、上記「周知・慣用の技術１」及び「周知・慣用の技術２」並びに「周知・慣用の技術３」を適用する際に、溝部を前側の壁部に形成して、当該相違点１及び相違点２に係る本願発明を特定する事項とすることは、当業者が容易になし得ることである。
　　　　　
　そして、引用発明１は「取付板２の接触部２ａに形成された溝５にパチンコ球ａを接触させてパチンコ球の動きを安定させる」、即ち「壁部に形成された溝により、遊技球の動きを安定させる」ものであるから、本願発明に格別のものは認められない。　
　　
第五、むすび　
　以上のとおり、本願発明１は、「引用発明１」及び「周知・慣用の技術１乃至３」に基いて当業者が容易に発明をすることができたものであるから、本願は、特許法第２９条第２項の規定により、特許を受けることができない。
　
　よって、結論のとおり審決する。